(57)【特許請求の範囲】
【請求項１】
複数の電線のそれぞれの端末に圧着された端子を収納するハウジングから導出される前記複数の電線を保持するホルダにおいて、
当該ホルダは、軸状に形成され、当該ホルダの軸方向に沿って形成される断面凹状の溝からなる複数の電線収納部と、該複数の電線収納部に連続し当該ホルダの軸方向に沿って形成される断面凹状の溝からなる複数の端子収納部と、を当該ホルダの中心軸の周囲に有し、
前記各電線収納部を、前記複数の電線を互いに所定の間隔をあけて整列することができるように形成し、
前記各端子収納部を、前記複数の端子を互いに所定の間隔をあけて整列することができるように形成し、
当該ホルダは、前記各電線収納部を挟む位置に形成され互いに離間する方向に撓む一対のアーム形状に形成された電線保持部と、該電線保持部に連続し前記各端子収納部を挟む位置に形成され互いに離間する方向に撓む一対のアーム形状に形成された端子保持部と、を備え、
前記各電線保持部を、前記各電線を前記電線収納部の外側に脱落することなく抱え込むように形成し、
前記各端子保持部を、前記各端子を前記端子収納部の外側に脱落することなく抱え込むように形成し、
当該ホルダの周方向に隣り合う前記各電線収納部のうち、いずれか一方を一方の電線収納部とし、いずれか他方を他方の電線収納部とし、当該ホルダの周方向に隣り合う前記各端子収納部のうち、いずれか一方を一方の端子収納部とし、いずれか他方を他方の端子収納部とし、前記一対の電線保持部のうち、いずれか一方を一方の電線保持部とし、いずれか他方を他方の電線保持部とし、前記一対の端子保持部のうち、いずれか一方を一方の端子保持部とし、いずれか他方を他方の端子保持部としたとき、前記一方の電線収納部における前記一方の電線保持部と前記他方の電線収納部における前記他方の電線保持部とを分岐させ、且つ、前記一方の端子収納部における前記一方の端子保持部と前記他方の端子収納部における前記他方の端子保持部とを分岐させ、且つ、前記一方の電線収納部と前記他方の電線収納部それぞれの前記各電線保持部を該各電線保持部に前記撓みが生じたとき前記一方の電線収納部における前記一方の電線保持部と前記他方の電線収納部における前記他方の電線保持部とが互いに近づくように形成し、且つ、前記一方の端子収納部と前記他方の端子収納部それぞれの前記各端子保持部を該各端子保持部に前記撓みが生じたとき前記一方の端子収納部における前記一方の端子保持部と前記他方の端子収納部における前記他方の端子保持部とが互いに近づくように形成する
ことを特徴とするホルダ。
【請求項２】
請求項１に記載のホルダにおいて、
前記各電線保持部の先端内面に、当該ホルダの軸方向に直交する方向に沿って前記電線収納部の内側に向かって傾斜し前記各電線を案内する電線ガイド面を形成し、
前記各端子保持部の先端内面に、当該ホルダの軸方向に直交する方向に沿って前記端子収納部の内側に向かって傾斜し前記各端子を案内する端子ガイド面を形成し、
前記電線ガイド面は、前記各電線に係合する電線係合部を備え、
前記端子ガイド面は、前記各端子に係合する端子係合部を備える
ことを特徴とするホルダ。
【請求項３】
請求項２に記載のホルダにおいて、
前記電線係合部を、前記各電線の外周の１／２の位置よりも外側に位置するように形成し、
前記端子係合部を、前記各端子の外周の１／２の位置よりも外側に位置するように形成する
ことを特徴とするホルダ。
【発明の詳細な説明】
【技術分野】
【０００１】
本発明は、複数の電線や、複数の電線のそれぞれの端末に圧着された端子を保持するホルダに関する。
【背景技術】
【０００２】
従来、複数の電線のそれぞれの端末に圧着された端子をハウジングに収納してなるコネクタの技術として、例えば、特許文献１に開示された技術が知られている。
特許文献１に開示されたコネクタは、特許文献１の図１０に図示するように、シールドケーブル１１０と、端子１２０と、インナーハウジング１３０と、外導体シェル１４０とを備えて構成されている。
シールドケーブル１１０は、導体１１１ａの外側に絶縁被覆層１１１ｂを被覆して形成される信号線１１１と、複数本の銅素線を撚り合わせて形成されるドレイン線１１２とを金属箔１１３で覆い、金属箔１１３の外側に絶縁外皮１１４を被覆して形成されている。
インナーハウジング１３０は、合成樹脂により成形され、内部に端子１２０を収納可能な端子収納室１３１が形成されている。
外導体シェル１４０は、導電性を有する金属板を板金加工により形成し、インナーハウジング１３０の外側に装着可能な形状に形成されている。
【先行技術文献】
【特許文献】
【０００３】
【特許文献１】特開２００３−１７３８２８号公報
【発明の概要】
【発明が解決しようとする課題】
【０００４】
従来技術において、複数の電線の端末に端子を圧着するために、ケーブルの端末において絶縁外皮を剥いで複数の電線を露出させ、複数の電線の撚り合わせをほどく作業が行われている。ここで、複数の電線の撚り合わせをほどいた部分は、ノイズの影響を受け易く、インピーダンスの不整合を起こすことがある。このため、従来技術では、複数の電線の撚り合わせをほどく長さを短くすることが行われている。
【０００５】
しかしながら、複数の電線の撚り合わせをほどく長さを短くすると、複数の電線のそれぞれの端末に圧着された端子をハウジングの端子収納室に挿入する際に、端子を圧着した電線を１本ずつ挿入することが困難である。このため、複数の電線のそれぞれの端末に圧着された端子を、各端子収納室の位置に合うように所定の間隔をあけて整列させ、各端子すべてを一括して端子収納室に挿入する作業が必要になってしまう。このことから、ハウジングへの端子の組付けの作業性が悪くなってしまうという問題点があった。
【０００６】
また、各端子を、各端子収納室の位置に合うように所定の間隔をあけて整列させた状態を維持することは作業者にとって容易ではなかった。したがって、このことからも、ハウジングへの端子の組付けの作業性が悪くなってしまうという問題点があった。
【０００７】
本発明は、上記した事情に鑑みてなされたもので、ハウジングへの端子の組付けの作業性を良好にすることができるホルダを提供することを課題とする。
【課題を解決するための手段】
【０００８】
上記課題を解決するためになされた請求項１記載の本発明のホルダは、複数の電線のそれぞれの端末に圧着された端子を収納するハウジングから導出される前記複数の電線を保持するホルダにおいて、
当該ホルダは、軸状に形成され、当該ホルダの軸方向に沿って形成される断面凹状の溝からなる複数の電線収納部と、該複数の電線収納部に連続し当該ホルダの軸方向に沿って形成される断面凹状の溝からなる複数の端子収納部と、を当該ホルダの中心軸の周囲に有し、
前記各電線収納部を、前記複数の電線を互いに所定の間隔をあけて整列することができるように形成し、
前記各端子収納部を、前記複数の端子を互いに所定の間隔をあけて整列することができるように形成し、
当該ホルダは、前記各電線収納部を挟む位置に形成され互いに離間する方向に撓む一対のアーム形状に形成された電線保持部と、該電線保持部に連続し前記各端子収納部を挟む位置に形成され互いに離間する方向に撓む一対のアーム形状に形成された端子保持部と、を備え、
前記各電線保持部を、前記各電線を前記電線収納部の外側に脱落することなく抱え込むように形成し、
前記各端子保持部を、前記各端子を前記端子収納部の外側に脱落することなく抱え込むように形成し、
当該ホルダの周方向に隣り合う前記各電線収納部のうち、いずれか一方を一方の電線収納部とし、いずれか他方を他方の電線収納部とし、当該ホルダの周方向に隣り合う前記各端子収納部のうち、いずれか一方を一方の端子収納部とし、いずれか他方を他方の端子収納部とし、前記一対の電線保持部のうち、いずれか一方を一方の電線保持部とし、いずれか他方を他方の電線保持部とし、前記一対の端子保持部のうち、いずれか一方を一方の端子保持部とし、いずれか他方を他方の端子保持部としたとき、前記一方の電線収納部における前記一方の電線保持部と前記他方の電線収納部における前記他方の電線保持部とを分岐させ、且つ、前記一方の端子収納部における前記一方の端子保持部と前記他方の端子収納部における前記他方の端子保持部とを分岐させ、且つ、前記一方の電線収納部と前記他方の電線収納部それぞれの前記各電線保持部を該各電線保持部に前記撓みが生じたとき前記一方の電線収納部における前記一方の電線保持部と前記他方の電線収納部における前記他方の電線保持部とが互いに近づくように形成し、且つ、前記一方の端子収納部と前記他方の端子収納部それぞれの前記各端子保持部を該各端子保持部に前記撓みが生じたとき前記一方の端子収納部における前記一方の端子保持部と前記他方の端子収納部における前記他方の端子保持部とが互いに近づくように形成することを特徴とする。
【０００９】
このような特徴を有する本発明は、ホルダの中心軸の周囲に形成された各電線収納部に電線を収納し、ホルダの中心軸の周囲に形成された各端子収納部に複数の端子を収納すると、複数の電線が互いに所定の間隔をあけて整列するとともに、複数の端子が互いに所定の間隔をあけて整列する。
【００１１】
また、本発明は、各電線収納部に収納された電線が各電線収納部を挟む位置に形成され互いに離間する方向に撓む一対のアーム形状に形成された電線保持部に保持され、各端子収納部に収納された端子が各端子収納部を挟む位置に形成され互いに離間する方向に撓む一対のアーム形状に形成された端子保持部に保持される。これにより、各電線収納部に収納された電線は、各電線保持部によって各電線収納部の外側に脱落することなく抱え込まれ、各端子収納部に収納された端子は、各端子保持部によって各端子収納部の外側に脱落することなく抱え込まれる。
【００１２】
請求項２記載の本発明のホルダは、請求項１に記載のホルダにおいて、前記各電線保持部の先端内面に、当該ホルダの軸方向に直交する方向に沿って前記電線収納部の内側に向かって傾斜し前記各電線を案内する電線ガイド面を形成し、前記各端子保持部の先端内面に、当該ホルダの軸方向に直交する方向に沿って前記端子収納部の内側に向かって傾斜し前記各端子を案内する端子ガイド面を形成し、前記電線ガイド面は、前記各電線に係合する電線係合部を備え、前記端子ガイド面は、前記各端子に係合する端子係合部を備えることを特徴とする。
【００１３】
このような特徴を有する本発明は、各電線が電線ガイド面によって電線収納部内に案内され、各端子が端子ガイド面によって各端子収納部内に案内される。そして、各電線収納部内に案内された電線に電線係合部が係合し、各端子収納部内に案内された端子に端子係合部が係合する。
【００１４】
請求項３記載の本発明のホルダは、請求項２に記載のホルダにおいて、前記電線係合部を、前記各電線の外周の１／２の位置よりも外側に位置するように形成し、前記端子係合部を、前記各端子の外周の１／２の位置よりも外側に位置するように形成することを特徴とする。
【００１５】
このような特徴を有する本発明によれば、電線係合部は、各電線の外周の１／２を上回る位置に係合し、端子係合部は、各端子のそれぞれの外周の１／２を上回る位置に係合する。
【発明の効果】
【００１６】
請求項１に記載された本発明によれば、ホルダによって、複数の電線及び複数の端子のそれぞれを互いに所定の間隔をあけて整列した状態を保持することができる。これにより、複数の端子すべてをハウジングに一括して挿入する作業を容易に行うことができる。したがって、ハウジングへの端子の組付けの作業性を良好にすることができるという効果を奏する。
また、本発明によれば、各電線収納部は、ホルダの軸方向に沿って形成され、ホルダの中心軸の周囲に設けられるため、各電線を、ホルダの軸方向に直交する複数の方向からホルダに組み付けることができる。また、各端子収納部は、ホルダの軸方向に沿って形成され、ホルダの中心軸の周囲に設けられるため、各端子を、ホルダの軸方向に直交する複数の方向からホルダに組み付けることができる。したがって、ホルダへの各電線及び各端子の着脱作業を容易に行うことができるという効果を奏する。
【００１７】
また、本発明によれば、各電線収納部に収納された電線は、各電線保持部によって、各電線収納部の外側に脱落することなく抱え込まれるように保持されるため、各電線が各電線収納部に収納された状態を確実に保持することができる。また、各端子収納部に収納された端子は、各端子保持部によって、各端子収納部の外側に脱落することなく抱え込まれるように保持されるため、各端子が各端子収納部に収納された状態を確実に保持することができる。このことから、ホルダによって、複数の電線及び複数の端子のそれぞれを互いに所定の間隔をあけて整列した状態を確実に保持することができる。これにより、複数の端子すべてをハウジングに一括して挿入する作業を容易に行うことができる。したがって、ハウジングへの端子の組付けの作業性を、より良好にすることができるという効果を奏する。
また、本発明によれば、各電線保持部が、各電線収納部を挟む位置に形成され互いに離間する方向に撓む一対のアーム形状に形成され、各端子保持部が、各端子収納部を挟む位置に形成され互いに離間する方向に撓む一対のアーム形状に形成されていることから、電線保持部を互いに離間する方向に撓ませ、端子保持部を互いに離間する方向に撓ませることにより、各電線及び各端子の着脱作業を容易に行うことができるという効果を奏する。
【００１８】
請求項２に記載された本発明によれば、各電線を、電線ガイド面によって各電線収納部内に案内し、各端子を、端子ガイド面によって各端子収納部内に案内することにより、各電線を確実に各電線収納部に収納することができるとともに、各端子を確実に各端子収納部に収納することができる。したがって、ホルダへの各電線及び各端子の組み付け作業を容易に行うことができるという効果を奏する。
また、本発明によれば、各電線に電線係合部が係合し、各端子に端子係合部が係合することにより、各電線が各電線収納部に収納された状態を確実に保持することができるとともに、各端子が各端子収納部に収納された状態を確実に保持することができる。このことから、ホルダによって、複数の電線及び複数の端子のそれぞれを互いに所定の間隔をあけて整列した状態を、より確実に保持することができる。これにより、複数の端子すべてをハウジングに一括して挿入する作業を容易に行うことができる。したがって、ハウジングへの端子の組付けの作業性を、さらに良好にすることができるという効果を奏する。
【００１９】
請求項３に記載された本発明によれば、各電線の外周の１／２を上回る位置に電線係合部が係合し、各端子の外周の１／２を上回る位置に端子係合部が係合することにより、各電線が各電線収納部から脱落し難くなるとともに、各端子が各端子収納部から脱落し難くなる。これにより、各電線が各電線収納部に収納された状態を確実に保持することができるとともに、各端子が各端子収納部に収納された状態を確実に保持することができる。このことから、ホルダによって、複数の電線及び複数の端子のそれぞれを互いに所定の間隔をあけて整列した状態を、より確実に保持することができる。これにより、複数の端子すべてをハウジングに一括して挿入する作業を容易に行うことができる。したがって、ハウジングへの端子の組付けの作業性を、さらに良好にすることができるという効果を奏する。
【図面の簡単な説明】
【００２０】
【図１】本発明のホルダの実施例１を備えるコネクタを示す分解斜視図である。
【図２】ホルダの斜視図及び正面図である。
【図３】複数の電線のそれぞれの端末に端子を圧着する作業を説明する図である。
【図４】複数の電線をホルダに組み付ける作業を説明する図である。
【図５】電線を収納部に収納する作業を説明する図である。
【図６】図５に続く図である。
【図７】コネクタの斜視図である。
【図８】本発明のホルダの実施例２を備えるコネクタを示す分解斜視図である。
【図９】ホルダの斜視図及び側面図である。
【図１０】ホルダの正面図及び背面図である。
【発明を実施するための形態】
【００２１】
以下、図１−図７を参照しながら、本発明に係るホルダの実施例１について、また、図８−図１０を参照しながら、本発明に係るホルダの実施例２について、それぞれ説明する。
【実施例１】
【００２２】
以下、図１−図７を参照しながら実施例１を説明する。
図１は本発明のホルダの実施例１を備えるコネクタを示す分解斜視図、図２はホルダを示す図であって、（ａ）はホルダの斜視図、（ｂ）はホルダの正面図、図３は複数の電線のそれぞれの端末に端子を圧着する作業を説明する図であって、（ａ）はケーブルの端末部の斜視図、（ｂ）は複数の電線のそれぞれの端末に端子を圧着した後の状態を示す図、図４は複数の電線をホルダに組み付ける作業を説明する図、図５は電線を収納部に収納する作業を説明する図であって、（ａ）は電線が収納部に収納される前の状態を示す図、（ｂ）は電線がガイド面に当接した状態を示す図、図６は図５に続く図であって、（ａ）は電線が収納部に収納される途中の状態を示す図、（ｂ）は電線が収納部に収納された状態を示す図、図７はコネクタの斜視図であって、（ａ）はハウジングに複数の端子を挿入した状態を示す図、（ｂ）はコネクタの組み立て作業が完了した状態を示す図である。
なお、図中の矢印は、前後方向を示している（矢印の方向は一例であるものとする）。
【００２３】
図１において、引用符号１は、本発明のホルダの実施例１を備えるコネクタを示している。コネクタ１は、特に限定するものではないが、本実施例では、雌コネクタであるものとする。
コネクタ１は、ケーブル２と、端子３と、本発明のホルダ４と、ハウジング５とを備えて構成されている。
以下、コネクタ１の各構成について説明する。
【００２４】
まず、ケーブル２について説明する。
ケーブル２は、図１に図示するように、複数本（本実施例では４本）の電線６と、複数本の電線６の上に設けられた金属箔７と、金属箔７の上に被覆形成された絶縁外皮８とを備えて構成されている。ケーブル２は、端末部において、絶縁外皮８と金属箔７とが剥ぎ取られ、複数本の電線６が露出するように形成されている。
電線６は、図３（ａ）に図示するように、導体９と、導体９の上に被覆される絶縁被覆１０とを備えて構成されている。
複数本の電線６は、金属箔７と絶縁外皮８とによって被覆されている部分においては撚り合わせられている構成となっている。また、複数本の電線６は、絶縁外皮８と金属箔７とが剥ぎ取られ、露出している部分においては上記撚り合わせがほどかれている構成となっている。
【００２５】
つぎに、端子３について説明する。
端子３は、導電性を有する金属板を板金加工して所定の形状に形成されている。端子３は、特に限定するものではないが、本実施例では、雌端子であるものとする。
端子３は、図１に図示するように、電線６の導体９に圧着される導体圧着部１１と、円筒状に形成され接続相手となるコネクタの雄端子と電気的に接続される電気接続部１２と、導体圧着部１１と電気接続部１２とを連結する連結部１３とを備えて構成されている。
【００２６】
つぎに、本発明のホルダ４について説明する。
ホルダ４は、合成樹脂によって成形され、軸状に形成されている。
ホルダ４の形状について、より具体的に説明すると、ホルダ４は、略Ｕ字形の断面形状を電線６の数（本実施例では４本）に合わせて備え、この略Ｕ字形の断面形状を組み合わせて形成されている（図２参照）。ホルダ４は、図２（ｂ）に図示するように、このホルダ４を正面から視たときに、この略Ｕ字形の断面形状を９０°ずつ回転させたように配置した形状を有している。そして、ホルダ４は、図２（ａ）に図示するように、このような形状が前後方向に延びるように形成されている。
【００２７】
ホルダ４は、図２に図示するように、収納部１４と、保持部１６とを備えて構成されている。
まず、収納部１４について説明する。
収納部１４は、図２に図示するように、上記略Ｕ字形の断面形状のうち半円状の底部に該当する部分であって、ホルダ４の中心軸の周囲に、電線６（図１参照）の数（本実施例では４本）に合わせて形成されている。
各収納部１４は、何れも、同一の形状に形成され、同一の構成及び構造を有している。
したがって、以下、各収納部１４のうち、１つの収納部１４の構成について説明する。
【００２８】
収納部１４は、図２に図示するように、ホルダ４の軸方向（図２（ａ）においては前後方向）に沿って形成される溝からなる構成である。収納部１４は、図１に図示するように、本実施例では、電線６を収納する部分として形成されている。収納部１４は、電線６をガイドすることができるような形状に形成されている。
【００２９】
つぎに、保持部１６について説明する。
保持部１６は、上記略Ｕ字形の断面形状のうち半円状の底部の両端のそれぞれから上方に延在する部分に該当する。
各保持部１６は、何れも、同一の形状に形成され、同一の構成及び構造を有している。
したがって、以下、各保持部１６のうち、１つの保持部１６の構成について説明する。
【００３０】
保持部１６は、図２に図示するように、収納部１４の両端のそれぞれに連続し、収納部１４を挟む位置に設けられた一対のアーム形状に形成されている。保持部１６は、平面的に視ると、直線状に形成され、ホルダ４の軸方向（図２（ａ）においては前後方向）に沿って、ホルダ４の前後方向に延びるように設けられている。一対の保持部１６は、ホルダ４の軸方向に直交して互いに向かい合うように配設されている。一対の保持部１６は、本実施例では弾性を有しており、互いに離間する方向に撓むように形成されている。
【００３１】
一対の保持部１６は、図２に図示するように、それぞれ、抱え込み面１７と、ガイド面１８とを備えている。
抱え込み面１７は、図２に図示するように、保持部１６の内面のうち、収納部１４の内面１９に連続する部分に該当するものである。
抱え込み面１７は、略円弧状の断面形状を有し、図１に図示するように、収納部１４に収納された電線６が収納部１４の外側に脱落することなく抱え込むことができるように形成されている。
【００３２】
ガイド面１８は、図２に図示するように、抱え込み面１７に連続し一対の保持部１６のそれぞれの自由端部側（先端側）の内側に形成されている。
ガイド面１８は、本実施例では、電線６（図１参照）を収納部１４に収納する際に、電線６を収納部１４内に案内する部分として形成されている。ガイド面１８は、図２に図示するように、ホルダ４の軸方向に直交する方向に沿って収納部１４の内側に向かって傾斜するように形成されている。
【００３３】
ガイド面１８は、図２に図示するように、係合部２０を備えている。
係合部２０は、図２に図示するように、一対の保持部１６のそれぞれの自由端部側（先端側）の内側で断面略く字状に形成された部分の頂部に該当するものである。係合部２０は、ガイド面１８が抱え込み面１７と連続する部分に形成されている。係合部２０は、収納部１４に収納された電線６に係合することができるように形成されている。
【００３４】
係合部２０は、電線６（図１参照）の外周の１／２の位置よりも外側に位置するように形成されている。本実施例では、電線６の外周の６割を周回した位置に形成されるものとする（図６（ｂ）参照）。
【００３５】
つぎに、ハウジング５について説明する。
ハウジング５は、合成樹脂によって成形され、図１に図示するように箱状に形成されている。図１に図示するハウジング５は、ハウジング５内に形成される端子収納室（図示せず）と、ハウジング５に組み付けられているリテーナー２１とを備えている。
端子収納室は、特に図示しないが、ハウジング５内に挿入される端子３の数（本実施例では４つ）に合わせて設けられている。各端子収納室は、ハウジング５の軸方向（図１においては前後方向）に沿って前端近傍から後端に延び、円筒状に形成されている。各端子収納室の前端は、ハウジング５の前面に形成された相手端子挿通孔２２に連通するように形成されている。各端子収納室の後端は、特に図示しないが、開口形成されている。各端子収納室は、端子３と電線６の端末部とを収納可能な大きさに形成されている。各端子収納室は、上下二段に分かれて配置され、上段と下段には、それぞれ、２つの端子収納室が並んで配列されている。各端子収納室には、収納された端子３に係合可能に形成された端子係合片（図示せず）が形成されている。
【００３６】
リテーナー２１は、合成樹脂からなり、図１に図示するように、略板状に形成されている。リテーナー２１は、ハウジング５に嵌合することにより、端子３と端子係合片（図示せず）との係合を固定し、端子３が端子収容室から抜けるのを防止するための部材である。
【００３７】
つぎに、コネクタ１の組み立て作業の手順について説明する。
まず、図３（ａ）に図示するように、ケーブル２の端末部において、金属箔７及び絶縁外皮８を剥ぎ取り、電線６を露出させる。そして、複数本の電線６を撚り合わせをほどく。
さらに、複数本の電線６のそれぞれの端末において、絶縁被覆１０を剥ぎ取り、図３（ａ）に図示するように、導体９を露出させる。しかる後、各導体９に、図３（ｂ）に図示するように、端子３の導体圧着部１１を加締めによって圧着する。
【００３８】
そして、図４に図示するように、各電線６をホルダ４の周囲に配置する。
しかる後、各電線６を、図４に図示する矢印Ａが指示する方向からホルダ４に組み付ける。これにより、電線６は、ホルダ４の軸方向に直交する方向から収納部１４への挿入を開始する。
【００３９】
ここで、電線６の収納部１４に収納する作業について説明する。
図５（ａ）において、まず、破線で示す電線６を収納部１４の上方から、一対の保持アーム１６間に対して図５（ａ）に図示する矢印Ｂの指示する方向に挿入していく。すると、図５（ｂ）に図示するように、電線６の外面がガイド面１８に当接する。
【００４０】
しかる後、電線６を、図５（ｂ）に図示する矢印Ｃの指示する方向に押し込んでいくと、電線６の外面がガイド面１８に摺接することにより、一対の保持部１６のそれぞれに、図５（ｂ）に図示する矢印Ｄの指示する方向へ撓もうとする力が掛かる。これにより、一対の保持部１６のそれぞれが、図５（ｂ）に図示する矢印Ｄの指示する方向に撓んで、外側に押し拡げられる。
さらに、電線６を、図５（ｂ）に図示する矢印Ｃの指示する方向に押し込んでいき、押し拡げられた状態の保持部１６のガイド面１８に電線６の外面を摺接させつつ、収納部１４の内部に挿入していく。
【００４１】
図６（ａ）において、電線６は、この外周の１／２の位置が、一対の保持部１６のそれぞれの係合部２０間を通過している。電線６の外周の１／２の位置が、係合部２０間を通過し終えると、一対の保持部１６のそれぞれは、図６（ａ）に図示する矢印Ｅの指示する方向に復帰する。
そして、図６（ｂ）において、電線６の外面が収納部１４の内面１９に当接すると、一対の保持部１６のそれぞれは、図５に図示する状態に復帰する。これにより、一対の保持部１６のそれぞれの抱え込み面１７が電線６の外面に当接し一対の保持部１６によって電線６が抱え込まれるように保持される。また、係合部２０は、電線６の外面に係合する。
以上により、電線６が収納部１４に収納される。
上記のように、各電線６を、それぞれ収納部１４に収納することにより、複数の電線６が互いに所定の間隔をあけて整列した状態を保持することができる。
以上により、電線のホルダへの組み付けが完了する。
【００４２】
しかる後、図１に図示するように、複数の端子６を、図１に図示する矢印Ｆの指示する方向から、ハウジング５に挿入する。各端子６が、それぞれの端子収容室に挿入されると、端子係合片が端子６に係合する。
最後に、図７（ａ）において、リテーナー２１を、図７（ａ）に図示する矢印Ｇが指示する方向から押し込んで、ハウジング５に嵌合する。これにより、端子３と端子係合片（図示せず）との係合状態が固定され、端子３が端子収容室から抜けるのが防止される。
以上により、コネクタ１の組み立て作業が完了する。
【００４３】
以上、図１−図７を参照しながら説明してきたように、本発明によれば、ホルダ４によって、複数の電線６を互いに所定の間隔をあけて整列した状態を保持することができる。これにより、複数の端子３すべてをハウジング５に一括して挿入する作業を容易に行うことができる。
したがって、ハウジング５への端子３の組付けの作業性を良好にすることができるという効果を奏する。
また、本発明によれば、各収納部１４は、ホルダ４の軸方向に沿って形成され、ホルダ４の中心軸の周囲に設けられるため、各電線６を、ホルダ４の軸方向に直交する複数の方向からホルダ４に組み付けることができる。
したがって、ホルダ４への各電線６の着脱作業を容易に行うことができるという効果を奏する。
【００４４】
また、本発明によれば、各収納部１４に収納された電線６は、各保持部１６によって、各収納部１４の外側に脱落することなく抱え込まれるように保持されるため、各電線６が各収納部１４に収納された状態を確実に保持することができる。このことから、ホルダ４によって、複数の電線６を互いに所定の間隔をあけて整列した状態を確実に保持することができる。これにより、複数の端子３すべてをハウジング５に一括して挿入する作業を容易に行うことができる。
したがって、ハウジング５への端子３の組付けの作業性を、より良好にすることができるという効果を奏する。
また、本発明によれば、各保持部１６は、各収納部１４を挟む位置に形成され互いに離間する方向に撓む一対のアーム形状に形成されていることから、保持部１６を互いに離間する方向に撓ませることにより、各電線６の着脱作業を容易に行うことができるという効果を奏する。
【００４５】
また、本発明によれば、各電線６をガイド面１８によって各収納部１４内に案内することにより、各電線６を確実に各収納部１４に収納することができる。
したがって、ホルダ４への各電線６の組み付け作業を容易に行うことができるという効果を奏する。
また、本発明によれば、各電線６に係合部２０が係合することにより、各電線６が各収納部１４に収納された状態を確実に保持することができる。このことから、ホルダ４によって、複数の電線６を互いに所定の間隔をあけて整列した状態を、より確実に保持することができる。これにより、複数の端子３すべてをハウジング５に一括して挿入する作業を容易に行うことができる。
したがって、ハウジング５への端子３の組付けの作業性を、さらに良好にすることができるという効果を奏する。
【００４６】
さらに、本発明によれば、各電線６の外周の１／２を上回る位置に係合部２０が係合することにより、各電線６が各収納部１４から脱落し難くなる。これにより、各電線６が各収納部１４に収納された状態を確実に保持することができる。このことから、ホルダ４によって、複数の電線６を互いに所定の間隔をあけて整列した状態を、より確実に保持することができる。これにより、複数の端子３すべてをハウジング５に一括して挿入する作業を容易に行うことができる。
したがって、ハウジング５への端子の組付けの作業性を、さらに良好にすることができるという効果を奏する。
【実施例２】
【００４７】
以下、図８−図１０を参照しながら実施例２を説明する。
図８は本発明のホルダの実施例２を備えたコネクタを示す分解斜視図、図９はホルダの斜視図、図１０はホルダを示す図であって、（ａ）はホルダの正面図、（ｂ）はホルダの背面図である。
なお、図中の矢印は、前後方向を示している（矢印の方向は一例であるものとする）。
【００４８】
図８において、引用符号３１は、本発明のホルダの実施例２を備えたコネクタを示している。コネクタ３１は、特に限定するものではないが、本実施例では、実施例１のコネクタ１と同様、雌コネクタであるものとする。
本実施例におけるコネクタ３１は、本発明のホルダ３２以外は、実施例１と同じ構成及び構造を備えている。
したがって、本実施例では、ホルダ３２の構成についてのみ説明する。
【００４９】
本発明のホルダ３２は、合成樹脂によって成形され、実施例１におけるホルダ４と同様、軸状に形成されている。
ホルダ３２の形状について、より具体的に説明すると、ホルダ３２は、略Ｕ字形の断面形状を電線６の数（本実施例では４本）に合わせて備え、この略Ｕ字形の断面形状を組み合わせて形成されている（図９及び図１０参照）。ホルダ３２は、図１０（ａ）に図示するように、このホルダ３２を正面から視たときに、この略Ｕ字形の断面形状を９０°ずつ回転させたように配置した形状を有している。そして、ホルダ３２は、図９に図示するように、このような形状が前後方向に延びるように形成されている。
【００５０】
ホルダ３２は、図９及び図１０に図示するように、端子収納部３３と、端子保持部３４と、電線収納部３５と、電線保持部３６とを備えて構成されている。
まず、端子収納部３３について説明する。
端子収納部３３は、特許請求の範囲における「収納部」に相当するものである。
端子収納部３３は、図９及び図１０（ａ）に図示するように、上記略Ｕ字形の断面形状のうち半円状の底部に該当する部分であって、ホルダ３２の中心軸の周囲に、電線６（図８参照）の数（本実施例では４本）に合わせて形成されている。本実施例では、端子収納部３３の前後方向の長さは、ホルダ３２の軸方向（図９においては前後方向）の長さの１／５となるように形成されている。
各端子収納部３３は、何れも、同一の形状に形成され、同一の構成及び構造を有している。
したがって、以下、各端子収納部３３のうち、１つの端子収納部３３の構成について説明する。
【００５１】
端子収納部３３は、図９に図示するように、ホルダ３２の前端側に、このホルダ３２の軸方向（図９においては前後方向）に沿って形成される溝からなる構成である。端子収納部３３は、図８に図示するように、端子３の導体圧着部１１の後端部を収納する部分として形成されている。端子収納部３３は、導体圧着部１１の後端部をガイドすることができるような形状に形成されている。
【００５２】
つぎに、端子保持部３４について説明する。
端子保持部３４は、特許請求の範囲における「保持部」に相当するものである。
端子保持部３４は、上記略Ｕ字形の断面形状のうち半円状の底部のそれぞれの両端から上方に延在する部分に該当する。
各端子保持部３４は、何れも、同一の形状に形成され、同一の構成及び構造を有している。
したがって、以下、各端子保持部３４のうち、１つの端子保持部３４の構成について説明する。  
【００５３】
端子保持部３４は、図９及び図１０（ａ）に図示するように、端子収納部３３の両端のそれぞれに連続し、端子収納部３３を挟む位置に設けられた一対のアーム形状に形成されている。端子保持部３４は、平面的に視ると、直線状に形成され、ホルダ３２の軸方向（図９においては前後方向）に沿って、ホルダ３２の前端側においてホルダ３２の前後方向に延びるように設けられている。一対の端子保持部３４は、ホルダ３２の軸方向に直交して互いに向かい合うように配設されている。一対の端子保持部３４は、本実施例では弾性を有しており、互いに離間する方向に撓むように形成されている。
【００５４】
一対の端子保持部３４は、図９及び図１０（ａ）に図示するように、それぞれ、端子抱え込み面３７と、端子ガイド面３８とを備えている。
端子抱え込み面３７は、図９及び図１０（ａ）に図示するように、端子保持部３４の内面のうち、端子収納部３３の内面３９に連続する部分に該当するものである。
端子抱え込み面１７は、略円弧状の断面形状を有し、図８に図示するように、端子収納部３３に収納された端子３が端子収納部３３の外側に脱落することなく抱え込むことができるように形成されている。
【００５５】
端子ガイド面３８は、特許請求の範囲における「ガイド面」に相当するものであって、図２に図示するように、端子抱え込み面３７に連続し一対の端子保持部３４のそれぞれの自由端部側（先端側）の内側に形成されている。
端子ガイド面３８は、本実施例では、端子３（図８参照）を端子収納部３３に収納する際に、端子３を端子収納部３３内に案内する部分として形成されている。端子ガイド面３８は、図１０（ａ）に図示するように、ホルダ３２の軸方向に直交する方向に沿って端子収納部３３の内側に向かって傾斜するように形成されている。
【００５６】
端子ガイド面３８は、図９及び図１０に図示するように、端子係合部４０を備えている。
端子係合部４０は、特許請求の範囲における「係合部」に相当するものである。
端子係合部４０は、図１０に図示するように、一対の端子保持部３４のそれぞれの自由端部側（先端側）の内側で断面略く字状に形成された部分の頂部に該当するものである。端子係合部４０は、端子ガイド面３８が端子抱え込み面３７と連続する部分に形成されている。端子係合部４０は、端子収納部３３に収納された端子３に係合することができるように形成されている。
【００５７】
端子係合部４０は、端子３（図８参照）の導体圧着部１１の外周の１／２の位置よりも外側に位置するように形成されている。本実施例では、端子係合部４０は、端子３の導体圧着部１１の外周の６割を周回した位置に形成されるものとする。
【００５８】
つぎに、電線収納部３５について説明する。
電線収納部３５は、端子収納部３３とともに、特許請求の範囲における「収納部」に相当するものである。
電線収納部３５は、図９及び図１０（ｂ）に図示するように、上記略Ｕ字形の断面形状のうち半円状の底部に該当する部分である。図９において、本実施例では、電線収納部３５の前後方向の長さは、ホルダ３２の軸方向（図９においては前後方向）の長さの４／５となるように形成されている。
各電線収納部３５は、何れも、同一の形状に形成され、同一の構成及び構造を有している。
したがって、以下、各電線収納部３５うち、１つの電線収納部３５の構成について説明する。
【００５９】
電線収納部３５は、図９に図示するように、端子収納部３３の後端に連続しホルダ３２の軸方向（図９においては前後方向）に沿って形成される溝からなる構成である。電線収納部３５は、図８に図示するように、本実施例では、電線６を収納する部分として形成されている。電線収納部３５は、電線６をガイドすることができるような形状に形成されている。
【００６０】
つぎに、電線保持部３６について説明する。
電線保持部３６は、端子保持部３４とともに、特許請求の範囲における「保持部」に相当するものである。
電線保持部３６は、上記略Ｕ字形の断面形状のうち半円状の底部のそれぞれの両端から上方に延在する部分に該当する。
各電線保持部３６は、何れも、同一の形状に形成され、同一の構成及び構造を有している。
したがって、以下、各電線保持部３６のうち、１つの電線保持部３６の構成について説明する。  
【００６１】
電線保持部３６は、図９及び図１０（ｂ）に図示するように、端子保持部３４の後端に連続するとともに電線収納部３５の両端のそれぞれに連続し、電線収納部３５を挟む位置に設けられた一対のアーム形状に形成されている。電線保持部３６は、平面的に視ると、直線状に形成され、ホルダ３２の軸方向（図９においては前後方向）に沿って、ホルダ３２の前端近傍からホルダ３２の後端まで延びるように設けられている。一対の電線保持部３６は、ホルダ３２の軸方向に直交して互いに向かい合うように配設されている。一対の電線保持部３６は、本実施例では弾性を有しており、互いに離間する方向に撓むように形成されている。
【００６２】
一対の電線保持部３６は、図９及び図１０（ｂ）に図示するように、それぞれ、電線抱え込み面４１と、電線ガイド面４２とを備えている。
電線抱え込み面４１は、図９及び図１０（ｂ）に図示するように、電線保持部３６の内面のうち、電線収納部３５の内面４３に連続する部分に該当するものである。
電線抱え込み面４１は、略円弧状の断面形状を有し、図８に図示するように、電線収納部３５に収納された電線６が電線収納部３５の外側に脱落することなく抱え込むことができるように形成されている。
【００６３】
電線ガイド面４２は、端子ガイド面３８とともに、特許請求の範囲における「ガイド面」に相当するものであって、図９及び図１０（ｂ）に図示するように、電線抱え込み面４１に連続し一対の電線保持部３６のそれぞれの自由端部側（先端側）の内側に形成されている。
電線ガイド面４２は、本実施例では、電線６（図８参照）を電線収納部３５に収納する際に、電線６を電線収納部３５内に案内する部分として形成されている。電線ガイド面４２は、図１０（ｂ）に図示するように、ホルダ３２の軸方向に直交する方向に沿って電線収納部３５の内側に向かって傾斜するように形成されている。
【００６４】
電線ガイド面４２は、図９及び図１０（ｂ）に図示するように、電線係合部４４を備えている。
電線係合部４４は、端子係合部４０とともに、特許請求の範囲における「係合部」に相当するものである。
電線係合部４４は、図１０（ｂ）に図示するように、一対の電線保持部３６のそれぞれの自由端部側（先端側）の内側で断面略く字状に形成された部分の頂部に該当するものである。電線係合部４４は、電線ガイド面４２が電線抱え込み面４１と連続する部分に形成されている。電線係合部４４は、電線収納部３５に収納された電線６に係合することができるように形成されている。
【００６５】
電線係合部４４は、電線６（図８参照）の外周の１／２の位置よりも外側に位置するように形成されている。本実施例では、電線６の外周の６割を周回した位置に形成されるものとする。
【００６６】
以上、図８−図１０を参照しながら説明してきたように、本発明によれば、ホルダ３２によって、複数の電線６及び複数の端子３のそれぞれを互いに所定の間隔をあけて整列した状態を保持することができる。これにより、複数の端子３すべてをハウジング５に一括して挿入する作業を容易に行うことができる。
したがって、ハウジング５への端子３の組付けの作業性を良好にすることができるという効果を奏する。
また、本発明によれば、各収納部３３，３５は、ホルダ３２の軸方向に沿って形成され、ホルダ３２の中心軸の周囲に設けられるため、各電線６及び各端子３を、ホルダ３２の軸方向に直交する複数の方向からホルダ３２に組み付けることができる。
したがって、ホルダ３２への各電線６及び各端子３の着脱作業を容易に行うことができるという効果を奏する。
【００６７】
また、本発明によれば、各収納部３３，３５に収納された電線６及び端子３は、各保持部３４，３６によって、各収納部３３，３５の外側に脱落することなく抱え込まれるように保持されるため、各電線６及び各端子３が各収納部３３，３５に収納された状態を確実に保持することができる。このことから、ホルダ３２によって、複数の電線６及び複数の端子３のそれぞれを互いに所定の間隔をあけて整列した状態を確実に保持することができる。これにより、複数の端子３すべてをハウジング５に一括して挿入する作業を容易に行うことができる。
したがって、ハウジング５への端子３の組付けの作業性を、より良好にすることができるという効果を奏する。
また、本発明によれば、各保持部３４，３６は、各収納部３３，３５を挟む位置に形成され互いに離間する方向に撓む一対のアーム形状に形成されていることから、保持部３４，３６を互いに離間する方向に撓ませることにより、各電線６及び各端子３の着脱作業を容易に行うことができるという効果を奏する。
【００６８】
また、本発明によれば、各電線６及び各端子３を、ガイド面３８，４２によって各収納部３３，３５内に案内することにより、各電線６及び各端子３を確実に各収納部３３，３５に収納することができる。
したがって、ホルダ３２への各電線６及び各端子３の組み付け作業を容易に行うことができるという効果を奏する。
また、本発明によれば、各電線６及び各端子３に係合部４０，４４が係合することにより、各電線６及び各端子３が各収納部３３，３５に収納された状態を確実に保持することができる。このことから、ホルダ３２によって、複数の電線６及び複数の端子３のそれぞれを互いに所定の間隔をあけて整列した状態を、より確実に保持することができる。これにより、複数の端子３すべてをハウジング５に一括して挿入する作業を容易に行うことができる。
したがって、ハウジング５への端子３の組付けの作業性を、さらに良好にすることができるという効果を奏する。
【００６９】
さらに、本発明によれば、各電線６及び各端子３のそれぞれの外周の１／２を上回る位置に係合部４０，４４が係合することにより、各電線６及び各端子３が各収納部３３，３５から脱落し難くなる。これにより、各電線６及び各端子３が各収納部３３，３５に収納された状態を確実に保持することができる。このことから、ホルダ３２によって、複数の電線６及び複数の端子３のそれぞれを互いに所定の間隔をあけて整列した状態を、より確実に保持することができる。これにより、複数の端子３すべてをハウジング５に一括して挿入する作業を容易に行うことができる。
したがって、ハウジング５への端子３の組付けの作業性を、さらに良好にすることができるという効果を奏する。
【００７０】
この他、本発明は本発明の主旨を変えない範囲で種々変更実施可能なことは勿論である。
【００７１】
上記実施例１，２の説明では、本発明のホルダ４，３２は、雌コネクタに適用されるものであったが、これに限らず、雄コネクタに適用してもよいものとする。
【符号の説明】
【００７２】
１，３１…コネクタ（雌コネクタ）、  ２…ケーブル、  ３…端子（雌端子）、  ４，３２…ホルダ、  ５…ハウジング、  ６…電線、  ７…金属箔、  ８…絶縁外皮、  ９…導体、  １０…絶縁被覆、  １１…導体圧着部、  １２…電気接続部、  １３…連結部、  １４…収納部、  １６…保持部、  １７…抱え込み面、  １８…ガイド面、  １９，３９，４３…内面、  ２０…係合部、  ２１…リテーナー、  ２２…相手端子挿通孔、  ３３…端子収納部（収納部）、  ３４…端子保持部（保持部）、  ３５…電線収納部（収納部）、  ３６…電線保持部（保持部）、  ３７…端子抱え込み面、  ３８…端子ガイド面（ガイド面）、  ４０…端子係合部（係合部）、  ４１…電線抱え込み面、  ４２…電線ガイド面（ガイド面）、  ４４…電線係合部（係合部）
【図１】
0006619569.tif 000002
【図２】
0006619569.tif 000003
【図３】
0006619569.tif 000004
【図４】
0006619569.tif 000005
【図５】
0006619569.tif 000006
【図６】
0006619569.tif 000007
【図７】
0006619569.tif 000008
【図８】
0006619569.tif 000009
【図９】
0006619569.tif 000010
【図１０】
0006619569.tif 000011